(57)【特許請求の範囲】
【請求項１】
筐体（１）における底壁（４）の背辺に近い部分に可調節型の支脚（６）を設けた卓上機器用筐体の角度調節装置であって、前記支脚（６）として両側部の長手方向に案内部（７）を形成すると共に、両端をそれぞれ太形脚端部（６ｂ）と細形脚端部（６ｃ）とに形成するほか、細形脚端部（６ｃ）の基部に段部（６ｄ）を形成し、かつ筐体（１）における底壁（４）の背辺に近い部分に、太形脚端部（６ｂ）の挿入に適応する受孔（８ｂ）と、太形脚端部（６ｂ）の受け止めに適応する受段（８ｄ）と、受孔（８ｂ）の奥に細形脚端部（６ｃ）の受け入れに適応する受穴（８ｃ）とを有する挿入穴（８）をほぼ竪方向に設け、更に底壁（４）には挿入穴（８）の開口部に近い両側に支脚（６）の案内部（７）に係合する突起（９）を設け、支脚（６）をその案内部（７）において突起（９）により案内しつつスライドさせることができるようにし、支脚（６）を折り畳んだ低姿勢状態と、挿入穴（８）に支脚（６）の細形脚端部（６ｃ）を挿入した中姿勢状態と、挿入穴（８）に支脚（６）の太形脚端部（６ｂ）を挿入した高姿勢状態とを選択することにより、支脚（６）の突出の度合により筐体（１）の角度を調節するようにしたことを特徴とする卓上機器用筐体の角度調節装置。
【請求項２】
支脚（６）として細長板状の主体部（６ａ）を備えるほか、細形脚端部（６ｃ）の基部の両側に段部（６ｄ）を形成し、かつ主体部（６ａ）と太形脚端部（６ｂ）とにわたりその両側部に溝形の案内部（７）を設けた構造のものを採択すると共に、底壁（４）には挿入穴（８）の開口辺部の前後いずれか一方に細形脚端部（６ｃ）の旋回動を許容する切欠部（１０）を形成した請求項１に記載の卓上機器用筐体の角度調節装置。
【請求項３】
挿入穴（８）における開口部前方の両側に支脚（６）の案内部（７）に僅かに係入する遊動防止用の突起（１１）を設けた請求項１または請求項２に記載の卓上機器用筐体の角度調節装置。
【発明の詳細な説明】
【０００１】
【発明の属する技術分野】
本発明は、電話機，電話機用充電器，ＰＯＳ端末機，キーボード，情報処理機器等の卓上電気機器、置時計等の計測機器、卓上計算機，卓上製図器等の事務機および卓上楽器等、表示面および／または操作面を有する卓上機器用筐体の仰角を変更する角度調節装置に関するものである。
【０００２】
【従来の技術】
卓上等において使用する電話機等のように、表示面または操作面を有する機器においては、その視認または操作を効率化する目的のもとに表示面または操作面の仰角を調節可能にするのが便利であり、機器自体が比較的小さい卓上型である場合には、機器の筐体自体の仰角を変更することが多く、そのための従来の構造としては、筐体とは別個の支脚を用意してこれを着脱自在に固着し、あるいは筐体に支脚を起倒自在に枢着した折畳み式としている。
【０００３】
【発明が解決しようとする課題】
筐体とは別個の支脚を取り付ける構造においては、着脱操作が煩雑であるばかりでなく、支脚を外した状態で使用する場合に補助支脚を保管するのが不便である関係上、紛失し易い欠点があり、また、筐体に支脚を起倒自在に枢着した折畳み式は、支脚を起立した状態と倒した状態との高低２通りの調節ができるようにしているのが普通である。
【０００４】
そこで本発明の目的は、支脚を筐体から離脱しない状態に設けるにも拘らず、高，中，低の３通りの調節が可能な調節機構により、卓上機器用筐体の仰角を３段階に変更する角度調節装置を提供することにあり、他の目的は、簡単な構造のもとに、変更後の角度を安定的に保持することができる角度調節装置を提供することにある。
【０００５】
【課題を解決するための手段】
本発明は、上記目的を達成するため、両端をそれぞれ太形脚端部と細形脚端部とに形成するほか、細形脚端部の基部に段部を形成した支脚を採択すると共に、これに対する筐体には太形脚端部の挿入に適応する受孔と、太形脚端部の受け止めに適応する受段と、受孔の奥に細形脚端部の受け入れに適応する受穴とを有する挿入穴をほぼ竪方向に設け、かつ支脚の両側面には溝または長孔による直線状の案内部を長手方向に形成すると共に、これに対して筐体にはその挿入穴の開口部に近い両側に前記支脚の案内部に係合する支軸用突起を設け、もって、支脚を筐体の底壁に添うように折り畳んで低姿勢状態に保つほか、支軸用突起の規制により支脚を案内しつつスライドさせて、挿入穴に細形脚端部を挿入して中姿勢状態にし、また挿入穴に太形脚端部を挿入して高姿勢状態にすることができるようにする。
【０００６】
【発明の実施の形態】
以下、本発明の角度調節装置を電話機本体に適用した図示の実施形態について詳細に説明する。
【０００７】
適用対象としての電話機としては、例えば図１および図２のように、電話機本体における筐体１の表部にダイヤルボタンスイツチ並びにファンクションキ−等があるキ−ボ−ド部２および表示部３を備え、かつ筐体１における底壁４の前辺に近い２カ所に固定支脚５を設けるほか、背辺に近い２カ所に可調節型の支脚６を設けた卓上型電話機を採択するのであるが、本発明は電話機に限らず、他の種々の卓上機器に適用することができることは当然である。
【０００８】
上記型式の電話機に対する本発明の特殊構成としては、例えば図１ないし図４のように、前記可調節型の支脚６として、細長板状の主体部６ａの両端にそれぞれ太形脚端部６ｂと細形脚端部６ｃとを形成するほか、細形脚端部６ｃの基部の両側に段部６ｄを形成し、かつ主体部６ａおよび太形脚端部６ｂにわたりその両側部に溝形（全幅に貫通する長孔でもよい）の案内部７を長手方向に設けた構造のものを採択すると共に、これに対する筐体１の底壁４には、前記太形脚端部６ｂの挿入に適応する受孔８ｂと、太形脚端部６ｂの受け止めに適応する受段８ｄと、受孔８ｂの奥に細形脚端部６ｃの受け入れに適応する比較的細い受穴８ｃとを有する挿入穴８をほぼ竪方向に設け、更に底壁４にはその挿入穴８の開口部に近い両側に前記支脚６の案内部７に係合する支軸用の突起９を左右軸線方向に設けて、支脚６をその案内部７において突起９により案内させつつ前後方向にスライドさせることができるようにする。
【０００９】
なお、底壁４には挿入穴８の後方の開口辺部に細形脚端部６ｃの旋回動を許容する切欠部１０を形成するほか、挿入穴８における開口部前方の両側に支脚６の案内部７に僅かに係入する突起１１を設け、なお前記切欠部１０の形成については、挿入穴８の前方の開口辺部に設けてもよいのである。
【００１０】
以上の構成のもとに、図２のように支脚６を折り畳んだ低姿勢状態，図１のように細形脚端部６ｃを挿入穴８に挿入して支脚６を起立した中姿勢状態，図３のように太形脚端部６ｂを挿入穴８に挿入して支脚６を起立した高姿勢状態の３通りに筐体１の角度調節を行うことができるようにする。
【００１１】
図２のような低姿勢状態においては、支脚６を底壁４に添う状態のもとに、突起１１を案内部７の端部付近に係入して支脚６を下方へ遊動しないようにし、図１のような中姿勢状態に調節するためには、図２の低姿勢状態から、支脚６をその太形脚端部６ｂが底壁４より離反する方向へ旋回させた後、段部６ｄが受段８ｄに突き当たる程度のもとに細形脚端部６ｃを挿入穴８に挿入し、また、図２のような低姿勢状態から高姿勢状態に調節するためには、図２の低姿勢状態から、支脚６を背方へスライドさせた後、細形脚端部６ｃが底壁４より離反する方向へ旋回させた後、太形脚端部６ｂが受段８ｄに突き当たる程度に太形脚端部６ｂを挿入穴８に挿入すればよく、なお、高姿勢状態からあるいは中姿勢状態から低姿勢状態に調節するには前記操作を逆にすればよく、更に、他の姿勢からの調節についても、支脚６を案内部７において突起９にスライドさせると共に、太形脚端部６ｂまたは細形脚端部６ｃを選択的に挿入穴８に挿入することにより、所望の姿勢に調節することができる。
【００１２】
図５の実施形態は、底壁４における切欠部１０を欠如した構造を例示するものであって、即ち、案内部７としての溝を支脚６における細形脚端部６ｃにわたり連通する状態に形成すると共に、支軸用の突起９を大きく突出させ、これにより支脚６を起立させるに先だって旋回させる場合に、案内部７の端部を突起９に対応させて支障なく旋回させることができる。
【００１３】
支脚６における細形脚端部６ｃの形状並びにこれに対する挿入穴８の形状については、前記形態に限ることなく種々の形状を採択してもよく、例えば図６の（ａ）あるいは（ｂ）のように、細形脚端部６ｃを主体部６ａと同一幅で、かつ主体部６ａよりも薄い板状に形成して段部６ｄを細長く形成するほか、挿入穴８における受段８ｄを前後部あるいはその片方に設けると共に、奥部に細形脚端部６ｃの受け入れに適応する薄い受穴８ｃを設ける。
【００１４】
また図７のように、細形脚端部６ｃを二股に形成してその中間に段部６ｄを設けると共に、挿入穴８における受穴８ｃを両側に平行に設けて受段８ｄをそれらの中間に形成してもよいのであり、更に図８のように、細形脚端部６ｃを片側に形成してその他側に段部６ｄを設けると共に、挿入穴８における受穴８ｃを片側に設けて受段８ｄを他側に形成してもよいのである。
【００１５】
以上の実施形態においては、支脚６を挿入穴８に挿入した場合の突き当たる部分に関して、支脚６の段部６ｄが挿入穴８の受段８ｄに突き当たるように構成しているが、図９のように、支脚６における細形脚端部６ｃの先端が挿入穴８の穴底面８ｅに突き当たるように構成してもよいのである。
【００１６】
【発明の効果】
以上説明したように、本発明によれば、次のような効果が得られる。
【００１７】
支脚６と挿入穴８とについて、挿入方向を選択することにより突出度合が異なるように構成したから、これにより簡単な形状の支脚６であるにも拘らず、１片の支脚６により２段階の調節に適応し、従って支脚６を折り畳んだ状態を含めて３段階の調節が可能で、機器用筐体の角度を容易に調節することができる。
【００１８】
挿入穴８をほぼ竪方向に設けてこれに支脚６を挿入するようにしたから、これにより挿入穴８において支脚６を安定的に受け入れた状態を保つことができ、従って、角度調節後においても比較的小型の支脚６により筐体１を安定的に支持することができる。
【００１９】
支脚６における案内部７とこれに係合する突起９とによりスライド機構を構成して、支脚６をスライドさせることができるようにするほか、突起９を支軸として旋回することができるようにしたから、これにより支脚６を筐体１から離脱させることなく、底壁４に添う状態に折り畳むこと、および挿入穴８に方向を選択して挿入することができ、従って支脚６を落下させ、あるいは紛失するおそれがない。
【図面の簡単な説明】
【図１】本発明の角度調節装置を適用した電話機の中姿勢状態を示す部分的破断側面図である。
【図２】図１の電話機の支脚を折り畳んだ低姿勢状態を示す一部破断側面図である。
【図３】図１の電話機の高姿勢状態を示す要部の縦断側面図である。
【図４】図１の電話機の要部だけの分解斜面図である。
【図５】他の実施形態における要部を示す部分的破断底面図である。
【図６】他の実施形態における要部を示す部分的破断側面図である。
【図７】他の実施形態における要部を示す縦断正面図である。
【図８】他の実施形態における要部を示す縦断正面図である。
【図９】更に他の実施形態における要部を示す縦断正面図である。
【符号の説明】
１  筐体
４  底壁
６  支脚
６ａ  主体部
６ｂ  太形脚端部
６ｃ  細形脚端部
６ｄ  段部
７  案内部
８  挿入穴
８ｂ  受孔
８ｃ  受穴
８ｄ  受段
９  突起
１０  切欠部
１１  突起
【図１】
0003748642.tif 000002
【図２】
0003748642.tif 000003
【図３】
0003748642.tif 000004
【図４】
0003748642.tif 000005
【図５】
0003748642.tif 000006
【図６】
0003748642.tif 000007
【図７】
0003748642.tif 000008
【図８】
0003748642.tif 000009
【図９】
0003748642.tif 000010